(57)【要約】      （修正有）【課題】発光体の数および電気消費量を増やさずに発光範囲、照明効果および輝度を増大させ、光をカラフルかつ均等にすることが可能な発光ソールを提供する。【解決手段】発光ソールは、本体２０および電子装置３０を備える。本体は格納空間２５と、格納空間の外回りに位置する透光部２６とを有する。透光部は外側２６２、内側および内側縁部２６４ａと外側２６２との間に形成された複数の導光面を有する。電子装置は格納空間に装着され、かつ少なくとも一つの第一発光体３４を有する。第一発光体から放出された一部の光は導光面によって投射方向が変更され、そののち透光部の外側から放出される。光線方向が変更された後、発光範囲が増大するだけでなく、光が交錯し、輝度も増大するので、カラフルな照明効果を生じさせることができる。【選択図】図１
0003184116.tif 000002
【実用新案登録請求の範囲】
【請求項１】
本体および電子装置を備え、
前記本体は、格納空間と、前記格納空間の外回りに位置する透光部とを有し、前記透光部は外側、内側および前記内側に形成された複数の導光面を有し、
前記電子装置は、前記格納空間に装着され、かつ少なくとも一つの第一発光体を有し、前記第一発光体から放出された一部の光は、前記導光面によって投射方向が変更され、そののち前記透光部の外側から放出されることを特徴とする、
発光ソール。
【請求項２】
前記導光面は相互に連結され、二つずつ相互に連結される前記導光面の間の角度は鈍角であることを特徴とする請求項１に記載の発光ソール。
【請求項３】
前記本体は、左側、右側、前端部および後端部を有し、前記左側は、前記右側の方向に向かって陥没した左側凹状部と、前記左側凹状部と前記前端部との間に位置する左前段側面部と、前記左側凹状部と前記後端部との間に位置する左後段側面部とを有し、前記右側は、前記左側の方向に向かって陥没した右側凹状部と、前記右側凹状部と前記前端部との間に位置する右前段側面部と、前記右側凹状部と前記後端部との間に位置する右後段側面部とを有し、前記導光面は、前記左後段側面部、前記右後段側面部および前記後端部に位置付けられ、前記電子装置の前記第一発光体は、前記本体の前記左後段側面部、前記右後段側面部および前記後端部に位置付けられることを特徴とする請求項２に記載の発光ソール。
【請求項４】
前記本体の前記透光部は、さらに前記内側に位置する内側縁部と、前記内側縁部を前記外側の方向に突出させて形成した少なくとも一つの陥没溝とを有し、前記電子装置の前記第一発光体は、前記透光部の前記陥没溝に装着されることを特徴とする請求項１に記載の発光ソール。
【請求項５】
前記電子装置は、さらに複数の第二発光体を有し、前記第二発光体は、前記本体の前記左前段側面部および前記右前段側面部に配置されることを特徴とする請求項３に記載の発光ソール。
【考案の詳細な説明】
【技術分野】
【０００１】
本考案は、発光ソールに関し、発光範囲が比較的広く、照明効果および輝度が比較的大きく、光がカラフルかつ均等である発光ソールに関するものである。
【背景技術】
【０００２】
市販のソールが発光する靴の多くは、夜間または暗闇で使用される際、照明または警告機能を果たし、また、舞台演出に使用される際、視覚効果を増すことができる。特許文献１により開示された光る靴は、ソールが透光性を有し、かつ内部に複数の発光体を有するため、発光効果を果たすことができる。
【０００３】
一方、ソールの範囲は限られるため、ソールの内部の発光体が正面から光を放出することによって生じる発光範囲は限られる。また、光る靴の輝度を増大させるには、発光体を多めに配置するか、発光強度の比較的大きい発光体を使用する必要がある。このため、電気消耗量を増加させてしまう。
【先行技術文献】
【特許文献】
【０００４】
【特許文献１】台湾実用新案Ｍ４０８２６１号
【考案の概要】
【考案が解決しようとする課題】
【０００５】
本考案は、上述した欠点に鑑み、発光体の数および電気消費量を増やさずに発光範囲、照明効果および輝度を増大させ、光をカラフルかつ均等にすることが可能な発光ソールを提供することを主な目的とする。
【課題を解決するための手段】
【０００６】
上述の目的を達成するために、発光ソールは、本体および電子装置を備える。本体は格納空間と、格納空間の外回りに位置する透光部とを有する。透光部は外側、内側および内側に形成された複数の導光面を有する。電子装置は格納空間に装着され、かつ少なくとも一つの発光体を有する。第一発光体から放出された一部の光は導光面によって投射方向が変更され、そののち透光部の外側から放出される。
【０００７】
第一発光体の光は導光面によって方向が変更され、非直線を呈するように放出されるため、発光範囲を増大させることができる。また第一発光体は光線方向が変更されるため、光を交錯させ、輝度を増大させ、カラフルな効果を果たすことができる。言い換えれば、本考案による発光ソールは、発光体の数および電気消費量を増やさずに発光範囲、照明効果および輝度を増大させ、光をカラフルかつ均等にすることができる。
【０００８】
本考案による発光ソールの詳細な構造、特徴、組み立て方法または使用方法を、以下の実施形態の詳細な説明によって明確にする。
また、本考案にかかる領域において常識がある者にとって、以下の詳細な説明および本考案により提示された実施形態は本考案を説明するためのものに過ぎず、本考案の請求範囲を限定するものではない。
【図面の簡単な説明】
【０００９】
【図１】本考案の一実施形態による発光ソールを示す斜視分解図である。
【図２】本考案の一実施形態による発光ソールの本体を示す斜視分解図である。
【図３】本考案の一実施形態による発光ソールの透光部を示す断面図である。
【図４】本考案の一実施形態による発光ソールを示す平面図である。
【図５】図４中の５−５線に沿った断面図である。
【図６】本考案の一実施形態による発光ソールの使用状態を示す側面図である。
【考案を実施するための形態】
【００１０】
以下、本考案にかかる発光ソールについて、図面に基づいて説明する。
【００１１】
＜一実施形態＞
図１に示すように、本考案の一実施形態による発光ソール１０は、本体２０および電子装置３０を備える。
【００１２】
本体２０は、左側２１、右側２２、前端部２３および後端部２４を有する。左側２１は右側２２の方向に向かって陥没した左側凹状部２１２と、左側凹状部２１２と前端部２３との間に位置する左前段側面部２１４と、左側凹状部２１２と後端部２４との間に位置する左後段側面部２１６とを有する。
右側２２は左側２１の方向に向かって陥没した右側凹状部２２２と、右側凹状部２２２と前端部２３との間に位置する右前段側面部２２４と、右側凹状部２２２と後端部２４との間に位置する右後段側面部２２６とを有する。
【００１３】
本体２０は、さらに左後段側面部２１６と右後段側面部２２６との間に位置する格納空間２５と、格納空間２５の外回りに位置する透光部２６とを有する。図２に示すように、本実施形態において、本体２０はさらに透光性のないクレープソール２７を有する。透光部２６は透光性のあるプラスチック材質から製作され、そののちクレープソール２７に固定される。一方、本体２０は透光性のある材料から一体成型されてもよい。
【００１４】
図１、図３から図５に示すように、透光部２６は外側２６２と、内側２６４と、内側２６４に位置する内側縁部２６４ａと、内側縁部２６４ａと外側２６２との間に位置する複数の導光面２６４ｂと、内側縁部２６４ａを外側２６２の方向に突出させて形成した四つの陥没溝２６４ｃと、を有する。
導光面２６４ｂは相互に連結され、かつ本体２０の左後段側面部２１６から後端部２４および右後段側面部２２６まで伸びる。二つずつ相互に連結される導光面２６４ｂの間の角度θは鈍角である。
【００１５】
図１および図４に示すように、電子装置３０は、電池および制御回路（図中未表示）を内蔵したボックス３２と、ボックス３２に突出した四つの第一発光体３４と、ボックス３２の内部から伸ばされた電気コードの末端に接続された四つの第二発光体３６とを有する。
ボックス３２は本体２０の透光部２６の内側縁部２６４ａに嵌め込まれ、格納空間２５に位置付けられる。第一発光体３４は陥没溝２６４ｃに装着され、本体２０の左後段側面部２１６、右後段側面部２２６および後端部２４に分布する。
図４および図６に示すように、第二発光体３６は本体２０の左前段側面部２１４および右前段側面部２２４に分布する。
【００１６】
電子装置３０の電源を入れると、第一発光体３４および第二発光体３６はソール１０上の異なる位置から光を放出する。第一発光体３４および第二発光体３６は、多種の色の光（赤色光、緑色光、青色光および白色光など）を放出する点滅式ＬＥＤを採用し、発光の際に生じる視覚効果を増すことができる。
【００１７】
本体２０の透光部２６は内側２６４に導光面２６４ｂを有する。第一発光体３４は導光面２６４ｂによって光を屈折させ、方向を変更し、そののち透光部２６の外側２６２から光を放出する。
正面から放出される光に対し、第一発光体３４の光は屈折した後、発光範囲を増大させることができる。また第一発光体３４は光線方向が変更されるため、光を交錯させ、輝度を増大させることができる。言い換えれば、本考案による発光ソール１０は、発光体の数および電気消費量を増やさずに発光範囲および輝度を増大させることができる。
【００１８】
本考案の一実施形態による発光ソール１０において、格納空間２５、透光部２６および第一発光体３４は発光ソール１０上のユーザーの踵に対応する部位に配置されるが、これに限らず、状況に応じ、ソールの任意の位置に配置されてもよい。
また、第一発光体３４および第二発光体３６の種類、数および配置位置は限定されず、状況に応じて調整されてもよい。透光部２６の導光面２６４ｂと、それによって屈折する第一発光体３４とが本考案の重点であるため、本考案は発光ソールに第二発光体３６を配置しなくてもよい。
【００１９】
以上、本考案は、上記実施形態になんら限定されるものではなく、考案の趣旨を逸脱しない範囲において種々の形態で実施可能である。
【符号の説明】
【００２０】
１０      発光ソール
２０      本体
２１      左側
２１２    左側凹状部
２１４    左前段側面部
２１６    左後段側面部
２２      右側
２２２    右側凹状部
２２４    右前段側面部
２２６    右後段側面部
２３      前端部
２４      後端部
２５      格納空間
２６      透光部
２６２    外側
２６４    内側
２６４ａ  内側縁部
２６４ｂ  導光面
２６４ｃ  陥没溝
２７      クレープソール
３０      電子装置
３２      ボックス
３４      第一発光体
３６      第二発光体
θ        角度
【図１】
0003184116.tif 000003
【図２】
0003184116.tif 000004
【図３】
0003184116.tif 000005
【図４】
0003184116.tif 000006
【図５】
0003184116.tif 000007
【図６】
0003184116.tif 000008